(57)【要約】【課題】損券に該当すると識別されるべき紙幣が反転部に搬送されて反転部において紙詰まりが発生するという事態を回避する。【解決手段】識別部（120）は、識別処理を行う。反転部（132）は、紙幣の表裏を反転させる。制御部（14）は、第１搬送制御と第２搬送制御とを行う。第１搬送制御では、制御部（14）は、識別部（120）において識別された紙幣が識別部（120）における紙幣の正損および向きの識別結果に応じて反転部（132）に搬送されるように、紙幣処理装置（10）の動作を制御する。第２搬送制御では、制御部（14）は、識別部（120）において識別された紙幣が識別部（120）における紙幣の正損および向きの識別結果に拘わらず反転部（132）を迂回するように、紙幣処理装置（10）の動作を制御する。【選択図】図１
2020187467.tif 000002
【特許請求の範囲】
【請求項１】
紙幣を処理する紙幣処理装置であって、
前記紙幣を搬送する搬送部と、
前記紙幣の正損の識別と該紙幣の向きの識別とを含む識別処理を行う識別部と、
前記紙幣の表裏を反転させる反転部と、
前記紙幣処理装置の動作を制御する制御部とを備え、
前記制御部は、
前記識別部において識別された紙幣が該識別部における該紙幣の正損および向きの識別結果に応じて前記反転部に搬送されるように、前記紙幣処理装置の動作を制御する第１搬送制御と、
前記識別部において識別された紙幣が該識別部における該紙幣の正損および向きの識別結果に拘わらず前記反転部を迂回するように、前記紙幣処理装置の動作を制御する第２搬送制御とを行う
ことを特徴とする紙幣処理装置。
【請求項２】
請求項１において、
前記第１搬送制御では、前記識別部において正券に該当すると識別された紙幣は、該識別部における該紙幣の向きの識別結果に応じて前記反転部に搬送され、前記識別部において損券に該当すると識別された紙幣は、該識別部における該紙幣の向きの識別結果に拘わらず前記反転部を迂回する
ことを特徴とする紙幣処理装置。
【請求項３】
請求項１または２において、
前記制御部は、前記第２搬送制御が行われる場合に、前記紙幣の向きが揃えられていないことを通知するための情報を出力する
ことを特徴とする紙幣処理装置。
【請求項４】
請求項１〜３のいずれか１つにおいて、
前記反転部は、前記紙幣に対してひねる力を加えることで該紙幣の表裏を反転させる
ことを特徴とする紙幣処理装置。
【請求項５】
請求項１〜４のいずれか１つにおいて、
前記紙幣が投入される投入部と、
前記紙幣を集積する集積部と、
所定枚数の前記紙幣を帯封紙により帯封する帯封部と、
前記帯封紙に情報を記録する記録部とを備え、
前記制御部は、正券に該当する紙幣と損券に該当する紙幣とが混合された状態で所定枚数の紙幣を帯封することができる正損混合処理において、前記投入部に投入された紙幣が前記識別部に搬送され、該識別部において正券に該当すると識別された紙幣および損券に該当すると識別された紙幣のうち帯封されるべき紙幣が前記集積部に搬送され、該集積部に集積された所定枚数の紙幣が前記帯封部に搬送されるように、前記紙幣処理装置の動作を制御し、
前記正損混合処理では、前記第１搬送制御と前記第２搬送制御の一方が行われ、
前記正損混合処理において前記第１搬送制御が行われる場合、前記識別部において正券に該当すると識別された紙幣および損券に該当すると識別された紙幣のうち帯封されるべき紙幣は、該識別部における該紙幣の正損および向きの識別結果に応じて前記反転部に搬送された後に、該集積部に搬送され、
前記正損混合処理において前記第２搬送制御が行われる場合、前記識別部において正券に該当すると識別された紙幣および損券に該当すると識別された紙幣のうち帯封されるべき紙幣は、該識別部における該紙幣の正損および向きの識別結果に拘わらず前記反転部を迂回した後に、該集積部に搬送され、
前記記録部は、前記正損混合処理が行われる場合に、前記紙幣の向きが揃えられていないことを示す情報を前記帯封紙に記録する
ことを特徴とする紙幣処理装置。
【請求項６】
請求項５において、
前記制御部は、正券に該当する紙幣のみが含まれる状態で所定枚数の紙幣を帯封する正券分類処理において、前記投入部に投入された紙幣が前記識別部に搬送され、該識別部において正券に該当すると識別された紙幣のうち帯封されるべき紙幣が前記集積部に搬送され、該集積部に集積された所定枚数の紙幣が前記帯封部に搬送されるように、前記紙幣処理装置の動作を制御し、
前記正券分類処理では、前記第１搬送制御が行われ、前記識別部において正券に該当すると識別された紙幣のうち帯封されるべき紙幣は、該識別部における該紙幣の向きの識別結果に応じて前記反転部に搬送された後に、該集積部に搬送される
ことを特徴とする紙幣処理装置。
【請求項７】
請求項５または６において、
前記紙幣の搬送方向と直交する搬送幅方向の向きが変わらないように該紙幣の表裏を反転させる第１反転部と、
前記紙幣の搬送幅方向の向きが変わるように該紙幣の表裏を反転させる第２反転部とを備え、
前記反転部は、前記第２反転部であり、
前記正損混合処理において前記第１搬送制御が行われる場合、前記識別部において正券に該当すると識別された紙幣および損券に該当すると識別された紙幣のうち帯封されるべき紙幣は、該識別部における該紙幣の向きの識別結果に応じて前記第１反転部に搬送され、且つ、該識別部における該紙幣の正損および向きの識別結果に応じて前記第２反転部に搬送された後に、該集積部に搬送され、
前記正損混合処理において前記第２搬送制御が行われる場合、前記識別部において正券に該当すると識別された紙幣および損券に該当すると識別された紙幣のうち帯封されるべき紙幣は、該識別部における該紙幣の向きの識別結果に応じて前記第１反転部に搬送され、且つ、該識別部における該紙幣の正損および向きの識別結果に拘わらず前記第２反転部を迂回した後に、該集積部に搬送される
ことを特徴とする紙幣処理装置。
【請求項８】
請求項１〜４のいずれか１つにおいて、
前記紙幣が投入される入金部と、
正券に該当する紙幣を収納する収納部と、
正券に該当する紙幣および損券に該当する紙幣の両方を収納可能な一括収納部と、
前記紙幣を集積する整理一時保留部と、
所定枚数の前記紙幣を帯封紙により帯封する帯封部と、
前記帯封紙に情報を記録する記録部とを備え、
前記識別部は、
前記紙幣の正損の識別を含む第１識別処理を行う第１識別部と、
前記紙幣の向きの識別を含む第２識別処理を行う第２識別部とを有し、
前記制御部は、前記紙幣を入金する入金処理において、前記入金部に投入された紙幣が前記第１識別部に搬送され、該第１識別部において識別された紙幣が該第１識別部における該紙幣の正損の識別結果に応じて前記収納部または前記一括収納部に搬送されるように、前記紙幣処理装置の動作を制御し、
前記制御部は、正券に該当する紙幣と損券に該当する紙幣とが混合された状態で所定枚数の紙幣を帯封することができる正損混合帯封処理において、前記一括収納部に収納された紙幣が前記第２識別部に搬送され、該第２識別部において識別された紙幣のうち帯封されるべき紙幣が前記整理一時保留部に搬送され、該整理一時保留部に集積された所定枚数の紙幣が前記帯封部に搬送されるように、前記紙幣処理装置の動作を制御し、
前記正損混合帯封処理では、前記第１搬送制御と前記第２搬送制御の一方が行われ、
前記正損混合帯封処理において前記第１搬送制御が行われる場合、前記第２識別部において識別された紙幣のうち帯封されるべき紙幣は、前記第１識別部における該紙幣の正損の識別結果および該第２識別部における該紙幣の向きの識別結果に応じて前記反転部に搬送された後に、該整理一時保留部に搬送され、
前記正損混合帯封処理において前記第２搬送制御が行われる場合、前記第２識別部において識別された紙幣のうち帯封されるべき紙幣は、前記第１識別部における該紙幣の正損の識別結果および該第２識別部における該紙幣の向きの識別結果に拘わらず前記反転部を迂回した後に、該整理一時保留部に搬送され、
前記記録部は、前記正損混合帯封処理が行われる場合に、前記紙幣の向きが揃えられていないことを示す情報を前記帯封紙に記録する
ことを特徴とする紙幣処理装置。
【請求項９】
請求項８において、
前記制御部は、正券に該当する紙幣のみが含まれる状態で所定枚数の紙幣を帯封する正券分類帯封処理において、前記収納部に収納された紙幣が前記第２識別部に搬送され、該第２識別部において識別された紙幣のうち帯封されるべき紙幣が前記整理一時保留部に搬送され、該整理一時保留部に集積された所定枚数の紙幣が前記帯封部に搬送されるように、前記紙幣処理装置の動作を制御し、
前記正券分類帯封処理では、前記第１搬送制御が行われ、前記第２識別部において識別された紙幣のうち帯封されるべき紙幣は、該第２識別部における該紙幣の向きの識別結果に応じて前記反転部に搬送された後に、前記整理一時保留部に搬送される
ことを特徴とする紙幣処理装置。
【請求項１０】
請求項８または９において、
前記紙幣の搬送方向と直交する搬送幅方向の向きが変わらないように該紙幣の表裏を反転させる第１反転部と、
前記紙幣の搬送幅方向の向きが変わるように該紙幣の表裏を反転させる第２反転部とを備え、
前記反転部は、前記第２反転部であり、
前記第１識別処理には、前記紙幣の正損の識別と該紙幣の向きの識別とが含まれ、
前記入金処理において、前記第１識別部において識別された紙幣は、該第１識別部における該紙幣の向きの識別結果に応じて前記第１反転部に搬送された後に、該第１識別部における該紙幣の正損の識別結果に応じて前記収納部または前記一括収納部に搬送され、
前記正損混合帯封処理において前記第１搬送制御が行われる場合、前記第２識別部において識別された紙幣のうち帯封されるべき紙幣は、前記第１識別部における該紙幣の正損の識別結果および該第２識別部における該紙幣の向きの識別結果に応じて前記第２反転部に搬送された後に、該整理一時保留部に搬送され、
前記正損混合帯封処理において前記第２搬送制御が行われる場合、前記第２識別部において識別された紙幣のうち帯封されるべき紙幣は、前記第１識別部における該紙幣の正損の識別結果および該第２識別部における該紙幣の向きの識別結果に拘わらず前記第２反転部を迂回した後に、該整理一時保留部に搬送される
ことを特徴とする紙幣処理装置。
【発明の詳細な説明】
【技術分野】
【０００１】
ここに開示する技術は、紙幣処理装置に関する。
【背景技術】
【０００２】
特許文献１には、紙幣処理装置が開示されている。この紙幣処理装置では、入金口に投入された紙幣は、繰り出しローラにより繰り出され、搬送路に沿って搬送される。搬送路の途中に設けられた識別部は、紙幣の金種、正損、真偽、表裏を識別する。識別部において正券であると識別されない紙幣は、リジェクト紙幣としてリジェクト紙幣集積部に集積される。識別部において正券で且つ真券であると識別された紙幣は、識別部による表裏判定結果に応じて反転された後に、集積部に集積される。
【先行技術文献】
【特許文献】
【０００３】
【特許文献１】特開２００６−２６８３４０号公報
【発明の概要】
【発明が解決しようとする課題】
【０００４】
特許文献１のような紙幣処理装置では、紙幣の正損の識別において正券と損券とを明確に区別することが困難であるので、識別部において損券に該当すると識別されるべき紙幣が正券に該当すると識別される可能性がある。例えば、同一紙幣であっても識別部における紙幣の正損の識別結果が同一にならない場合がある。そのため、損券に該当すると識別されるべき紙幣が反転部に搬送されて反転部において紙詰まり（いわゆるジャム）が発生する可能性がある。
【０００５】
そこで、ここに開示する技術は、損券に該当すると識別されるべき紙幣が反転部に搬送されて反転部において紙詰まりが発生するという事態を回避することが可能な紙幣処理装置を提供することを目的とする。
【課題を解決するための手段】
【０００６】
ここに開示する技術は、紙幣を処理する紙幣処理装置に関する。この紙幣処理装置は、前記紙幣を搬送する搬送部と、前記紙幣の正損の識別と該紙幣の向きの識別とを含む識別処理を行う識別部と、前記紙幣の表裏を反転させる反転部と、前記紙幣処理装置の動作を制御する制御部とを備える。前記制御部は、前記識別部において識別された紙幣が該識別部における該紙幣の正損および向きの識別結果に応じて前記反転部に搬送されるように、前記紙幣処理装置の動作を制御する第１搬送制御と、前記識別部において識別された紙幣が該識別部における該紙幣の正損および向きの識別結果に拘わらず前記反転部を迂回するように、前記紙幣処理装置の動作を制御する第２搬送制御とを行う。
【０００７】
前記の構成では、第１搬送制御を行うことにより、紙幣の正損および向きの識別結果に応じて紙幣の向きを一定の向きに揃えることができる。また、第２搬送制御を行うことにより、損券に該当すると識別されるべき紙幣が反転部に搬送されて反転部において紙詰まりが発生するという事態を回避することができる。
【０００８】
前記第１搬送制御では、前記識別部において正券に該当すると識別された紙幣は、該識別部における該紙幣の向きの識別結果に応じて前記反転部に搬送されてもよく、前記識別部において損券に該当すると識別された紙幣は、該識別部における該紙幣の向きの識別結果に拘わらず前記反転部を迂回してもよい。
【０００９】
前記の構成では、第１搬送制御において、正券に該当すると識別された紙幣が紙幣の向きの識別結果に応じて反転部に搬送されることにより、正券に該当すると識別された紙幣の向きを一定の向きに揃えることができる。また、第１搬送制御において、損券に該当すると識別された紙幣が紙幣の向きの識別結果に拘わらず反転部を迂回することにより、損券に該当すると識別された紙幣が反転部に搬送されて反転部において紙詰まりが発生するという事態を回避することができる。
【００１０】
前記制御部は、前記第２搬送制御が行われる場合に、前記紙幣の向きが揃えられていないことを通知するための情報を出力してもよい。
【００１１】
前記の構成では、第２搬送制御が行われる場合に紙幣の向きが揃えられていないことを通知するための情報を制御部が出力することにより、紙幣の向きが揃えられていないことを通知することができる。
【００１２】
前記反転部は、前記紙幣に対してひねる力を加えることで該紙幣の表裏を反転させてもよい。
【００１３】
前記の構成では、第２搬送制御を行うことにより、損券に該当すると識別されるべき紙幣が反転部に搬送されて反転部において紙詰まりが発生するという事態を回避することができる。
【００１４】
前記紙幣処理装置は、前記紙幣が投入される投入部と、前記紙幣を集積する集積部と、所定枚数の前記紙幣を帯封紙により帯封する帯封部と、前記帯封紙に情報を記録する記録部とを備えてもよい。前記制御部は、正券に該当する紙幣と損券に該当する紙幣とが混合された状態で所定枚数の紙幣を帯封することができる正損混合処理において、前記投入部に投入された紙幣が前記識別部に搬送され、該識別部において正券に該当すると識別された紙幣および損券に該当すると識別された紙幣のうち帯封されるべき紙幣が前記集積部に搬送され、該集積部に集積された所定枚数の紙幣が前記帯封部に搬送されるように、前記紙幣処理装置の動作を制御してもよい。前記正損混合処理では、前記第１搬送制御と前記第２搬送制御の一方が行われてもよい。前記正損混合処理において前記第１搬送制御が行われる場合、前記識別部において正券に該当すると識別された紙幣および損券に該当すると識別された紙幣のうち帯封されるべき紙幣は、該識別部における該紙幣の正損および向きの識別結果に応じて前記反転部に搬送された後に、該集積部に搬送されてもよい。前記正損混合処理において前記第２搬送制御が行われる場合、前記識別部において正券に該当すると識別された紙幣および損券に該当すると識別された紙幣のうち帯封されるべき紙幣は、該識別部における該紙幣の正損および向きの識別結果に拘わらず前記反転部を迂回した後に、該集積部に搬送されてもよい。前記記録部は、前記正損混合処理が行われる場合に、前記紙幣の向きが揃えられていないことを示す情報を前記帯封紙に記録してもよい。
【００１５】
前記の構成では、正損混合処理を行うことにより、正券に該当する紙幣と損券に該当する紙幣とが混合された状態で所定枚数の紙幣を帯封することができる。また、正損混合処理が行われる場合に紙幣の向きが揃えられていないことを示す情報を記録部が帯封紙に記録することにより、帯封紙により帯封された所定枚数の紙幣（すなわち帯封紙幣）の状態の管理を容易にすることができる。
【００１６】
前記制御部は、正券に該当する紙幣のみが含まれる状態で所定枚数の紙幣を帯封する正券分類処理において、前記投入部に投入された紙幣が前記識別部に搬送され、該識別部において正券に該当すると識別された紙幣のうち帯封されるべき紙幣が前記集積部に搬送され、該集積部に集積された所定枚数の紙幣が前記帯封部に搬送されるように、前記紙幣処理装置の動作を制御してもよい。前記正券分類処理では、前記第１搬送制御が行われ、前記識別部において正券に該当すると識別された紙幣のうち帯封されるべき紙幣は、該識別部における該紙幣の向きの識別結果に応じて前記反転部に搬送された後に、該集積部に搬送されてもよい。
【００１７】
前記の構成では、正券分類処理を行うことにより、正券に該当する紙幣のみが含まれる状態で所定枚数の紙幣を帯封することができる。
【００１８】
前記紙幣処理装置は、前記紙幣の搬送方向と直交する搬送幅方向の向きが変わらないように該紙幣の表裏を反転させる第１反転部と、前記紙幣の搬送幅方向の向きが変わるように該紙幣の表裏を反転させる第２反転部とを備えてもよい。前記反転部は、前記第２反転部であってもよい。前記正損混合処理において前記第１搬送制御が行われる場合、前記識別部において正券に該当すると識別された紙幣および損券に該当すると識別された紙幣のうち帯封されるべき紙幣は、該識別部における該紙幣の向きの識別結果に応じて前記第１反転部に搬送され、且つ、該識別部における該紙幣の正損および向きの識別結果に応じて前記第２反転部に搬送された後に、該集積部に搬送されてもよい。前記正損混合処理において前記第２搬送制御が行われる場合、前記識別部において正券に該当すると識別された紙幣および損券に該当すると識別された紙幣のうち帯封されるべき紙幣は、該識別部における該紙幣の向きの識別結果に応じて前記第１反転部に搬送され、且つ、該識別部における該紙幣の正損および向きの識別結果に拘わらず前記第２反転部を迂回した後に、該集積部に搬送されてもよい。
【００１９】
前記の構成では、正損混合処理において、正券に該当すると識別された紙幣および損券に該当すると識別された紙幣のうち帯封されるべき紙幣は、紙幣の向きの識別結果に応じて第１反転部に搬送される。これにより、正損混合処理において紙幣の表裏の向きを一定の向きに揃えることができる。
【００２０】
または、紙幣処理装置は、前記紙幣が投入される入金部と、正券に該当する紙幣を収納する収納部と、正券に該当する紙幣および損券に該当する紙幣の両方を収納可能な一括収納部と、前記紙幣を集積する整理一時保留部と、所定枚数の前記紙幣を帯封紙により帯封する帯封部と、前記帯封紙に情報を記録する記録部とを備えてもよい。前記識別部は、前記紙幣の正損の識別を含む第１識別処理を行う第１識別部と、前記紙幣の向きの識別を含む第２識別処理を行う第２識別部とを有してもよい。前記制御部は、前記紙幣を入金する入金処理において、前記入金部に投入された紙幣が前記第１識別部に搬送され、該第１識別部において識別された紙幣が該第１識別部における該紙幣の正損の識別結果に応じて前記収納部または前記一括収納部に搬送されるように、前記紙幣処理装置の動作を制御してもよい。前記制御部は、正券に該当する紙幣と損券に該当する紙幣とが混合された状態で所定枚数の紙幣を帯封することができる正損混合帯封処理において、前記一括収納部に収納された紙幣が前記第２識別部に搬送され、該第２識別部において識別された紙幣のうち帯封されるべき紙幣が前記整理一時保留部に搬送され、該整理一時保留部に集積された所定枚数の紙幣が前記帯封部に搬送されるように、前記紙幣処理装置の動作を制御してもよい。前記正損混合帯封処理では、前記第１搬送制御と前記第２搬送制御の一方が行われてもよい。前記正損混合帯封処理において前記第１搬送制御が行われる場合、前記第２識別部において識別された紙幣のうち帯封されるべき紙幣は、前記第１識別部における該紙幣の正損の識別結果および該第２識別部における該紙幣の向きの識別結果に応じて前記反転部に搬送された後に、該整理一時保留部に搬送されてもよい。前記正損混合帯封処理において前記第２搬送制御が行われる場合、前記第２識別部において識別された紙幣のうち帯封されるべき紙幣は、前記第１識別部における該紙幣の正損の識別結果および該第２識別部における該紙幣の向きの識別結果に拘わらず前記反転部を迂回した後に、該整理一時保留部に搬送されてもよい。前記記録部は、前記正損混合帯封処理が行われる場合に、前記紙幣の向きが揃えられていないことを示す情報を前記帯封紙に記録してもよい。
【００２１】
前記の構成では、正損混合帯封処理を行うことにより、正券に該当する紙幣と損券に該当する紙幣とが混合された状態で所定枚数の紙幣を帯封することができる。また、正損混合帯封処理が行われる場合に紙幣の向きが揃えられていないことを示す情報を記録部が帯封紙に記録することにより、帯封紙により帯封された所定枚数の紙幣（すなわち帯封紙幣）の状態の管理を容易にすることができる。
【００２２】
前記制御部は、正券に該当する紙幣のみが含まれる状態で所定枚数の紙幣を帯封する正券分類帯封処理において、前記収納部に収納された紙幣が前記第２識別部に搬送され、該第２識別部において識別された紙幣のうち帯封されるべき紙幣が前記整理一時保留部に搬送され、該整理一時保留部に集積された所定枚数の紙幣が前記帯封部に搬送されるように、前記紙幣処理装置の動作を制御してもよい。前記正券分類帯封処理では、前記第１搬送制御が行われ、前記第２識別部において識別された紙幣のうち帯封されるべき紙幣は、該第２識別部における該紙幣の向きの識別結果に応じて前記反転部に搬送された後に、前記整理一時保留部に搬送されてもよい。
【００２３】
前記の構成では、正券分類帯封処理を行うことにより、正券に該当する紙幣のみが含まれる状態で所定枚数の紙幣を帯封することができる。
【００２４】
前記紙幣処理装置は、前記紙幣の搬送方向と直交する搬送幅方向の向きが変わらないように該紙幣の表裏を反転させる第１反転部と、前記紙幣の搬送幅方向の向きが変わるように該紙幣の表裏を反転させる第２反転部とを備えてもよい。前記反転部は、前記第２反転部であってもよい。前記第１識別処理には、前記紙幣の正損の識別と該紙幣の向きの識別とが含まれてもよい。前記入金処理において、前記第１識別部において識別された紙幣は、該第１識別部における該紙幣の向きの識別結果に応じて前記第１反転部に搬送された後に、該第１識別部における該紙幣の正損の識別結果に応じて前記収納部または前記一括収納部に搬送されてもよい。前記正損混合帯封処理において前記第１搬送制御が行われる場合、前記第２識別部において識別された紙幣のうち帯封されるべき紙幣は、前記第１識別部における該紙幣の正損の識別結果および該第２識別部における該紙幣の向きの識別結果に応じて前記第２反転部に搬送された後に、該整理一時保留部に搬送されてもよい。前記正損混合帯封処理において前記第２搬送制御が行われる場合、前記第２識別部において識別された紙幣のうち帯封されるべき紙幣は、前記第１識別部における該紙幣の正損の識別結果および該第２識別部における該紙幣の向きの識別結果に拘わらず前記第２反転部を迂回した後に、該整理一時保留部に搬送されてもよい。
【００２５】
前記の構成では、入金処理において、第１識別部において識別された紙幣は、紙幣の向きの識別結果に応じて第１反転部に搬送される。これにより、入金処理において紙幣の表裏の向きを変更することができる。
【発明の効果】
【００２６】
ここに開示する技術によれば、損券に該当すると識別されるべき紙幣が反転部に搬送されて反転部において紙詰まりが発生するという事態を回避することができる。
【図面の簡単な説明】
【００２７】
【図１】実施形態１の紙幣処理装置の構成を例示する概略図である。
【図２】紙幣の向きについて説明するための図である。
【図３】待機画面画像を例示する図である。
【図４】選択画面画像を例示する図である。
【図５】不揃い通知画像を例示する図である。
【図６】実施形態２の紙幣処理装置の外観を例示する斜視図である。
【図７】実施形態２の紙幣処理部の構成を例示する概略図である。
【図８】実施形態２の帯封紙幣処理部の構成を例示する概略図である。
【図９】実施形態２の紙幣処理装置の構成を例示するブロック図である。
【発明を実施するための形態】
【００２８】
以下、実施の形態を図面を参照して詳しく説明する。なお、図中同一または相当部分には同一の符号を付しその説明は繰り返さない。
【００２９】
（実施形態１）
図１は、実施形態１による紙幣処理装置１０の構成を例示する。紙幣処理装置１０は、筐体１００と、投入部１０１と、リジェクト部１０２と、複数（この例では５つ）の内部集積部１０３と、複数（この例では２つ）の外部集積部１０４と、第１投出部１０５と、第２投出部１０６と、帯封部１０７と、記録部１０８と、搬送部１１０と、識別部１２０と、第１反転部１３１と、第２反転部１３２と、操作表示部１１と、通信部１２と、記憶部１３と、制御部１４とを備える。
【００３０】
〔筐体〕
筐体１００は、直方体型の箱状に形成される。筐体１００には、紙幣処理装置１０の上述の構成部品が収納される。
【００３１】
〔投入部〕
投入部１０１には、紙幣が投入される。投入部１０１は、投入された紙幣を集積する。また、投入部１０１には、投入部１０１に集積された紙幣を１枚ずつ搬送部１１０に繰り出す繰出機構１０１ａが設けられる。この例では、投入部１０１は、筐体１００の前面部の上部に設けられる。
【００３２】
〔リジェクト部〕
リジェクト部１０２は、リジェクト対象に該当する紙幣を集積する。例えば、斜行や重送などの搬送異常となっている紙幣である搬送異常券や、識別することができない紙幣である識別不能券などがリジェクト対象に該当する。
【００３３】
〔内部集積部（集積部）〕
複数の内部集積部１０３の各々は、紙幣を集積する。この例では、複数の内部集積部１０３は、筐体１００内において上下方向に並んで配置される。例えば、複数の内部集積部１０３には、それぞれ集積されるべき金種が割り当てられ、複数の内部集積部１０３の各々は、その内部集積部１０３に割り当てられた金種の紙幣を集積する。
【００３４】
〔外部集積部〕
複数の外部集積部１０４の各々は、紙幣を集積する。外部集積部１０４には、外部集積部１０４に集積された紙幣を取り出すための取出口が設けられる。この例では、複数の外部集積部１０４は、筐体１００の上部に設けられる。
【００３５】
〔投出部〕
第１投出部１０５は、紙幣を投出する。この例では、第１投出部１０５は、筐体１００の上部に設けられている。第２投出部１０６は、帯封紙幣を投出する。帯封紙幣は、帯封紙により帯封された所定枚数（例えば１００枚）の紙幣のことである。この例では、第２投出部１０６は、筐体１００の下部に設けられる。
【００３６】
〔帯封部〕
帯封部１０７は、所定枚数の紙幣を帯封紙により帯封する。これにより、帯封紙幣が生成される。例えば、帯封部１０７は、所定枚数の紙幣の束に帯封紙を巻き付けることで帯封するように構成されてもよいし、帯封紙により形成された輪の中に所定枚数の紙幣の束を挿入することで帯封するように構成されてもよい。
【００３７】
〔記録部〕
記録部１０８は、帯封紙に情報を記録する。記録部１０８は、帯封紙に情報を印字する印字部であってもよいし、帯封紙に情報を押印する押印部であってもよい。また、記録部１０８は、帯封部１０７において所定枚数の紙幣が帯封紙により帯封された後に帯封紙に情報を記録するように構成されてもよいし、帯封部１０７において所定枚数の紙幣が帯封紙により帯封される前に帯封紙に情報を記録するように構成されてもよい。なお、帯封紙に記録される情報については、後で詳しく説明する。
【００３８】
〔搬送部〕
搬送部１１０は、紙幣処理装置１０内において紙幣を搬送する。この例では、搬送部１１０は、第１搬送部１１０ａと、第２搬送部１１０ｂと、第３搬送部１１０ｃを有する。第１搬送部１１０ａは、投入部１０１とリジェクト部１０２と複数の内部集積部１０３と複数の外部集積部１０４との間において紙幣を搬送する。第２搬送部１１０ｂは、複数の内部集積部１０３と第１投出部１０５と帯封部１０７との間において紙幣を搬送する。第３搬送部１１０ｃは、帯封部１０７と第２投出部１０６との間において帯封紙幣を搬送する。
【００３９】
〔識別部〕
識別部１２０は、識別処理を行う。識別処理には、紙幣の正損の識別と、紙幣の向きの識別とが含まれる。この例では、識別部１２０は、第１搬送部１１０ａに設けられ、投入部１０１よりも下流であり且つリジェクト部１０２と複数の内部集積部１０３と複数の外部集積部１０４よりも上流である位置に配置される。そして、識別部１２０は、第１搬送部１１０ａにより搬送される紙幣に対して識別処理を行う。識別処理では、識別部１２０は、紙幣の金種、正損、真偽、新旧、向き、搬送状態、紙幣に付された記番号などを識別する。識別部１２０における紙幣の識別結果は、制御部１４に送信される。また、この例では、識別部１２０は、計数処理を行う。計数処理では、識別部１２０は、紙幣の種別毎（例えば金種毎）に紙幣を計数する。識別部１２０における紙幣の計数結果は、制御部１４に送信される。
【００４０】
〔紙幣の正損〕
紙幣の正損の識別では、紙幣の傷みや汚れなどに応じて変化する紙幣の正損レベルと予め設定された正損判別レベルとを比較することで、紙幣が正券および損券のどちらに該当するのかが識別される。具体的には、紙幣の傷みや汚れが激しくなるに連れて紙幣の正損レベルが次第に低くなっていく。そして、紙幣の正損レベルが正損判別レベルを下回る場合に、紙幣が損券に該当すると識別され、紙幣の正損レベルが正損判別レベルを下回らない場合に、紙幣が正券に該当すると識別される。
【００４１】
〔紙幣の向き〕
図２に示すように、紙幣の向きには、紙幣の表裏の向きと、紙幣の天地方向の向きと、紙幣の左右方向の向きとが含まれる。紙幣の天地方向は、紙幣の短手方向であり、紙幣に描かれた肖像画を基準とした上下の方向である。紙幣の左右方向は、紙幣の長手方向であり、紙幣に描かれた肖像画を基準とした左右の方向（天地方向に直交する方向）である。例えば、紙幣の短手方向が搬送方向に沿うように紙幣が搬送される場合、紙幣の天地方向が紙幣の搬送方向となり、紙幣の左右方向が搬送方向に直交する方向である搬送幅方向となる。
【００４２】
〔第１反転部〕
第１反転部１３１は、紙幣の表裏を反転させる。この例では、第１反転部１３１は、第１搬送部１１０ａに設けられ、識別部１２０よりも下流であり且つ複数の内部集積部１０３と複数の外部集積部１０４よりも上流である位置に配置される。なお、搬送部１１０（具体的には第１搬送部１１０ａ）は、紙幣が第１反転部１３１に搬送されて紙幣の表裏が反転される状態と、紙幣が第１反転部１３１を迂回する状態とに切り換え可能である。この例では、第１搬送部１１０ａは、第１反転部１３１が設けられる第１反転路Ｐ１と、第１反転路Ｐ１を迂回する第１迂回路Ｐ２とを有する。
【００４３】
また、この例では、第１反転部１３１は、スイッチバック式の反転部である。具体的には、第１反転部１３１は、第１搬送部１１０ａにより搬送される紙幣の搬送幅方向（搬送方向と直交する方向）の向きが変わらないように紙幣の表裏を反転させる。
【００４４】
〔第２反転部（反転部）〕
第２反転部１３２は、紙幣の表裏を反転させる。この例では、第２反転部１３２は、第１搬送部１１０ａに設けられ、第１反転部１３１よりも下流であり且つ複数の内部集積部１０３と複数の外部集積部１０４よりも上流である位置に配置される。そして、第２反転部１３２は、紙幣に対してひねる力を加えることで紙幣の表裏を反転させる。なお、搬送部１１０（具体的には第１搬送部１１０ａ）は、紙幣が第２反転部１３２に搬送されて紙幣の表裏が反転される状態と、紙幣が第２反転部１３２を迂回する状態とに切り換え可能である。この例では、第１搬送部１１０ａは、第２反転部１３２が設けられる第２反転路Ｐ３と、第２反転路Ｐ３を迂回する第２迂回路Ｐ４とを有する。
【００４５】
また、この例では、第２反転部１３２は、スパイラル式の反転部である。具体的には、第２反転部１３２は、第１搬送部１１０ａにより搬送される紙幣の搬送幅方向の向きが変わるように紙幣の表裏を反転させる。
【００４６】
〔操作表示部〕
図１に示すように、操作表示部１１は、操作部１１ａと、表示部１１ｂとを有する。例えば、操作表示部１１は、タッチパネルにより構成される。操作部１１ａは、操作者による操作が与えられ、その操作者による操作に応じて情報を入力する。これにより、操作者は、操作部１１ａを操作して紙幣処理装置１０に各種処理を行わせることができる。すなわち、紙幣処理装置１０は、操作者による操作に応答して動作する。表示部１１ｂは、情報を表示する。
【００４７】
〔通信部と記憶部〕
通信部１２は、タブレット端末やスマートフォンや管理コンピュータなどの外部機器（図示を省略）と制御部１４との間で有線通信または無線通信を行うために設けられる。記憶部１３は、情報を記憶する。例えば、記憶部１３には、紙幣処理装置１０における紙幣の処理状況に関する処理状況情報や、操作表示部１１に表示される操作画面などの画像情報（画像データ）や、紙幣処理装置１０の動作を制御するための制御情報などが記憶される。例えば、記憶部１３は、ハードディスクドライブやフラッシュメモリなどの汎用ストレージデバイスにより構成される。
【００４８】
〔各種センサ〕
また、紙幣処理装置１０の各部には、紙幣の通過を検出する通過センサなどの各種センサ（図示を省略）が設けられる。これらの各種センサの検出結果は、制御部１４に送信される。
【００４９】
〔制御部〕
制御部１４は、紙幣処理装置１０の各部と電気的に接続され、紙幣処理装置１０の各部との間において信号の伝送を行う。この例では、制御部１４は、投入部１０１、リジェクト部１０２、複数の内部集積部１０３、複数の外部集積部１０４、第１投出部１０５、第２投出部１０６、帯封部１０７、記録部１０８、搬送部１１０、識別部１２０、第１反転部１３１、第２反転部１３２、操作表示部１１、通信部１２、記憶部１３と電気的に接続される。また、制御部１４は、通信部１２を経由して外部機器と通信を行う。そして、制御部１４は、紙幣処理装置１０の各部（各部に設けられた各種センサを含む）および外部機器からの信号などに基づいて、紙幣処理装置１０の各部を制御して紙幣処理装置１０の動作を制御する。例えば、制御部１４は、プロセッサと、プロセッサを動作させるためのプログラムや情報を記憶するメモリとにより構成される。
【００５０】
〔第１搬送制御〕
また、制御部１４は、第１搬送制御を行う。第１搬送制御では、制御部１４は、識別部１２０において識別された紙幣が識別部１２０における紙幣の正損および向きの識別結果に応じて第２反転部１３２（反転部の一例）に搬送されるように、紙幣処理装置１０の動作を制御する。具体的には、第１搬送制御では、識別部１２０において正券に該当すると識別された紙幣は、識別部１２０における紙幣の向きの識別結果に応じて第２反転部１３２に搬送される。例えば、第２反転部１３２において紙幣の表裏を反転する必要がある場合には、紙幣が第２反転部１３２に搬送され、第２反転部１３２において紙幣の表裏を反転する必要がない場合には、紙幣が第２反転部１３２を迂回する。また、識別部１２０において損券に該当すると識別された紙幣は、識別部１２０における紙幣の向きの識別結果に拘わらず第２反転部１３２を迂回する。
【００５１】
〔第２搬送制御〕
また、制御部１４は、第２搬送制御を行う。第２搬送制御では、制御部１４は、識別部１２０において識別された紙幣が識別部１２０における紙幣の正損および向きの識別結果に拘わらず第２反転部１３２（反転部の一例）を迂回するように、紙幣処理装置１０の動作を制御する。
【００５２】
また、制御部１４は、第２搬送制御が行われる場合に、紙幣の向きが揃えられていないことを通知するための情報である不揃い通知情報を出力する。例えば、制御部１４は、不揃い通知情報を操作表示部１１に出力することで、紙幣の向きが揃えられていないことを通知するための画像を操作表示部１１に表示させる。
【００５３】
〔紙幣処理装置の動作〕
次に、実施形態１による紙幣処理装置１０の動作について説明する。紙幣処理装置１０では、正損混合処理と、正券分類処理とが行われる。
【００５４】
〔正損混合処理〕
正損混合処理は、正券に該当する紙幣と損券に該当する紙幣とが混合された状態で所定枚数の紙幣を帯封することができる処理のことである。正損混合処理において、制御部１４は、投入部１０１に投入された紙幣が識別部１２０に搬送され、識別部１２０において正券に該当すると識別された紙幣および損券に該当すると識別された紙幣のうち帯封されるべき紙幣が内部集積部１０３（集積部の一例）に搬送され、内部集積部１０３に集積された所定枚数の紙幣が帯封部１０７に搬送されるように、紙幣処理装置１０の動作を制御する。
【００５５】
具体的には、正損混合処理では、投入部１０１に投入された紙幣は、第１搬送部１１０ａにより識別部１２０に搬送されて識別処理が行われる。識別部１２０において正券または損券に該当すると識別された紙幣のうち帯封されるべき紙幣は、第１搬送部１１０ａにより内部集積部１０３に搬送されて集積される。例えば、複数の内部集積部１０３には、帯封されるべき紙幣の金種がそれぞれ割り当てられる。そして、識別部１２０において正券または損券に該当すると識別された紙幣のうち帯封されるべき紙幣は、その紙幣の金種と同一の金種が割り当てられた内部集積部１０３に搬送される。内部集積部１０３には、識別部１２０において正券に該当すると識別された紙幣と識別部１２０において損券に該当すると識別された紙幣とが混合された状態で、複数枚の紙幣が集積される。内部集積部１０３に所定枚数の紙幣が集積されると、内部集積部１０３に集積された所定枚数の紙幣は、第２搬送部１１０ｂにより帯封部１０７に搬送されて帯封部１０７において帯封される。これにより、帯封紙幣が生成される。帯封部１０７において生成された帯封紙幣は、第３搬送部１１０ｃにより第２投出部１０６に搬送されて第２投出部１０６から投出される。
【００５６】
なお、正損混合処理では、識別部１２０においてリジェクト対象に該当すると識別された紙幣は、第１搬送部１１０ａによりリジェクト部１０２に搬送されてリジェクト部１０２に集積される。識別部１２０において識別された紙幣のうち帯封されるべきではない紙幣は、第１搬送部１１０ａにより外部集積部１０４に搬送されて外部集積部１０４に集積される。帯封紙幣の生成が完了すると、内部集積部１０３に残存する所定枚数未満の紙幣は、第２搬送部１１０ｂにより第１投出部１０５に搬送されて第１投出部１０５から投出される。
【００５７】
〈正損混合処理における搬送制御〉
また、正損混合処理では、第１搬送制御と第２搬送制御の一方が行われる。以下では、正損混合処理において第１搬送制御が行われる場合（すなわち第１搬送制御が行われる正損混合処理）を「第１正損混合処理」と記載し、正損混合処理において第２搬送制御が行われる場合（すなわち第２搬送制御が行われる正損混合処理）を「第２正損混合処理」と記載する。
【００５８】
〈第１正損混合処理〉
第１正損混合処理では、識別部１２０において正券に該当すると識別された紙幣および損券に該当すると識別された紙幣のうち帯封されるべき紙幣は、識別部１２０における紙幣の正損および向きの識別結果に応じて第２反転部１３２（反転部の一例）に搬送された後に、内部集積部１０３（集積部の一例）に搬送される。この例では、第１正損混合処理において、識別部１２０において正券に該当すると識別された紙幣および損券に該当すると識別された紙幣のうち帯封されるべき紙幣は、識別部１２０における紙幣の向きの識別結果に応じて第１反転部１３１に搬送され、且つ、識別部１２０における紙幣の正損および向きの識別結果に応じて第２反転部１３２に搬送された後に、内部集積部１０３に搬送される。例えば、第１反転部１３１（または第２反転部１３２）において紙幣の表裏を反転する必要がある場合には、紙幣が第１反転部１３１（または第２反転部１３２）に搬送される。一方、第１反転部１３１（または第２反転部１３２）において紙幣の表裏を反転する必要がない場合には、紙幣が第１反転部１３１（または第２反転部１３２）を迂回する。
【００５９】
具体的には、第１正損混合処理では、識別部１２０において正券に該当すると識別された紙幣のうち帯封されるべき紙幣は、識別部１２０における紙幣の向きの識別結果に応じて第１反転部１３１に搬送され、且つ、識別部１２０における紙幣の向きの識別結果に応じて第２反転部１３２に搬送された後に、内部集積部１０３に搬送される。一方、識別部１２０において損券に該当すると識別された紙幣のうち帯封されるべき紙幣は、識別部１２０における紙幣の向きの識別結果に応じて第１反転部１３１に搬送され、且つ、識別部１２０における紙幣の向きの識別結果に拘わらず第２反転部１３２を迂回した後に、内部集積部１０３に搬送される。
【００６０】
上記の第１正損混合処理では、識別部１２０において正券に該当すると識別された紙幣のうち帯封されるべき紙幣は、紙幣の表裏の向きと紙幣の天地方向の向きがそれぞれ一定の向きに揃えられる。一方、識別部１２０において損券に該当すると識別された紙幣のうち帯封されるべき紙幣は、紙幣の表裏の向きが一定の向きに揃えられるが、紙幣の天地方向の向きが一定の向きに揃えられない。
【００６１】
〈第２正損混合処理〉
第２正損混合処理では、識別部１２０において正券に該当すると識別された紙幣および損券に該当すると識別された紙幣のうち帯封されるべき紙幣は、識別部１２０における紙幣の正損および向きの識別結果に拘わらず第２反転部１３２（反転部の一例）を迂回した後に、内部集積部１０３（集積部の一例）に搬送される。この例では、第２正損混合処理において、識別部１２０において正券に該当すると識別された紙幣および損券に該当すると識別された紙幣のうち帯封されるべき紙幣は、識別部１２０における紙幣の向きの識別結果に応じて第１反転部１３１に搬送され、且つ、識別部１２０における紙幣の正損および向きの識別結果に拘わらず第２反転部１３２を迂回した後に、内部集積部１０３に搬送される。
【００６２】
具体的には、第２正損混合処理では、識別部１２０において正券に該当すると識別された紙幣および損券に該当すると識別された紙幣のうち帯封されるべき紙幣は、識別部１２０において正券に該当すると識別された場合であっても、識別部１２０において損券に該当すると識別された場合であっても、識別部１２０における紙幣の向きの識別結果に応じて第１反転部１３１に搬送され、且つ、第２反転部１３２を迂回した後に、内部集積部１０３に搬送される。
【００６３】
上記の第２正損混合処理では、識別部１２０において正券に該当すると識別された紙幣および損券に該当すると識別された紙幣のうち帯封されるべき紙幣は、紙幣の表裏の向きが一定の向きに揃えられるが、紙幣の天地方向の向きが一定の向きに揃えられない。
【００６４】
〈記録部の動作〉
また、記録部１０８は、正損混合処理が行われる場合に、紙幣の向きが揃えられていないことを示す情報である不揃い情報を帯封紙に記録する。不揃い情報は、紙幣の向きが揃えられていないことを直接的に示す情報（例えば紙幣の向きが不揃いであることを示す文章や記号や図形など）であってもよいし、紙幣の向きが揃えられていないことを間接的に示す情報（例えば正損混合処理が行われたことを示す文章や記号や図形など）であってもよい。
【００６５】
〈制御部の動作〉
また、制御部１４は、第２正損混合処理が行われる場合（すなわち正損混合処理において第２搬送制御が行われる場合）に、紙幣の向きが揃えられていないことを通知するための情報である不揃い通知情報を出力する。なお、この例では、制御部１４は、第２正損混合処理が行われる場合だけでなく、第１正損混合処理が行われる場合（すなわち正損混合処理において第１搬送制御が行われる場合）にも、不揃い通知情報を出力する。換言すると、この例では、制御部１４は、正損混合処理が行われる場合に、不揃い通知情報を出力する。
【００６６】
〔正券分類処理〕
正券分類処理は、正券に該当する紙幣のみが含まれる状態で所定枚数の紙幣を帯封する処理のことである。正券分類処理において、制御部１４は、投入部１０１に投入された紙幣が識別部１２０に搬送され、識別部１２０において正券に該当すると識別された紙幣のうち帯封されるべき紙幣が内部集積部１０３（集積部の一例）に搬送され、内部集積部１０３に集積された所定枚数の紙幣が帯封部１０７に搬送されるように、紙幣処理装置１０の動作を制御する。
【００６７】
具体的には、正券分類処理では、投入部１０１に投入された紙幣は、第１搬送部１１０ａにより識別部１２０に搬送されて識別処理が行われる。識別部１２０において正券に該当すると識別された紙幣のうち帯封されるべき紙幣は、第１搬送部１１０ａにより内部集積部１０３に搬送されて集積される。例えば、複数の内部集積部１０３には、帯封されるべき紙幣の金種がそれぞれ割り当てられる。そして、識別部１２０において正券に該当すると識別された紙幣のうち帯封されるべき紙幣は、その紙幣の金種と同一の金種が割り当てられた収納部３０５に搬送される。内部集積部１０３には、識別部１２０において正券に該当すると識別された紙幣のみが含まれる状態で、複数枚の紙幣が集積される。内部集積部１０３に所定枚数の紙幣が集積されると、内部集積部１０３に集積された所定枚数の紙幣は、第２搬送部１１０ｂにより帯封部１０７に搬送されて帯封部１０７において帯封される。これにより、帯封紙幣が生成される。帯封部１０７において生成された帯封紙幣は、第３搬送部１１０ｃにより第２投出部１０６に搬送されて第２投出部１０６から投出される。
【００６８】
なお、正券分類処理では、識別部１２０においてリジェクト対象に該当すると識別された紙幣は、第１搬送部１１０ａによりリジェクト部１０２に搬送されてリジェクト部１０２に集積される。識別部１２０において識別された紙幣のうち帯封されるべきではない紙幣（例えば識別部１２０において損券に該当すると識別された紙幣）は、第１搬送部１１０ａにより外部集積部１０４に搬送されて外部集積部１０４に集積される。帯封紙幣の生成が完了すると、内部集積部１０３に残存する所定枚数未満の紙幣は、第２搬送部１１０ｂにより第１投出部１０５に搬送されて第１投出部１０５から投出される。
【００６９】
〈正券分類処理における搬送制御〉
また、正券分類処理では、第１搬送制御が行われる。正券分類処理では、識別部１２０において正券に該当すると識別された紙幣のうち帯封されるべき紙幣は、識別部１２０における紙幣の向きの識別結果に応じて第１反転部１３１および／または第２反転部１３２に搬送された後に、内部集積部１０３（集積部の一例）に搬送される。
【００７０】
上記の正券分類処理では、識別部１２０において正券に該当すると識別された紙幣のうち帯封されるべき紙幣は、紙幣の表裏の向きと紙幣の天地方向の向きがそれぞれ一定の向きに揃えられる。
【００７１】
〔処理モードの選択〕
次に、図３，図４，図５を参照して、紙幣処理装置１０において行われる処理を選択する操作について説明する。
【００７２】
まず、制御部１４は、図３に示した待機画面画像を操作表示部１１に表示させる。図３に示した待機画面画像には、選択方法切替ボタンＢ１が設けられる。選択方法切替ボタンＢ１は、図４に示した選択画面画像の表示を指示するためのボタンである。選択方法切替ボタンＢ１を選択するための操作が操作表示部１１に与えられると、制御部１４は、図４に示した選択画面画像を操作表示部１１に表示させる。図４に示すように、選択画面画像には、帯封ボタンＢ２と、金種指定領域Ｒ１と、券種指定領域Ｒ２と、刷種指定領域Ｒ３と、モード指定領域Ｒ４と、確定ボタンＢ３とが設けられる。
【００７３】
帯封ボタンＢ２は、紙幣の帯封を指示するためのボタンである。帯封ボタンＢ２を選択するための操作が操作表示部１１に与えられると、紙幣の帯封が行われる処理（この例では正損混合処理と正券分類処理）を選択することができるようになる。
【００７４】
金種指定領域Ｒ１は、処理の対象となる紙幣の金種を指定するための領域である。図４の例では、紙幣の金種の候補として「１万円」と「５千円」と「２千円」と「千円」が準備されており、帯封されるべき紙幣の金種として「１万円」と「５千円」と「千円」が指定されている。
【００７５】
券種指定領域Ｒ２は、処理の対象となる紙幣の券種（正損）を指定するための領域である。図４の例では、紙幣の券種の候補として「正券」と「損券」と「正損分類」と「正損混合」が準備されており、帯封されるべき紙幣の券種として「正損混合」が指定されている。
【００７６】
刷種指定領域Ｒ３は、処理の対象となる紙幣の刷種（新旧）を指定するための領域である。図４の例では、紙幣の刷種の候補として「現行券」と「旧券」と「現旧分類」とが準備されており、帯封されるべき紙幣の刷種として「現行券」が指定されている。
【００７７】
モード指定領域Ｒ４は、正損混合処理と正券分類処理とを含む複数の処理モードの中からいずれか１つの処理モードを指定するための領域である。図４の例では、「正損混合処理」と「正券分類処理」と「現旧分類処理」の３つの処理モードが準備されており、「正損混合処理」が指定されている。モード指定領域Ｒ４において「正損混合処理」を指定するための操作が操作表示部１１に与えられると、制御部１４は、「第１正損混合処理」と「第２正損混合処理」の一方を指定するためのウィンドウ画像（図示を省略）を操作表示部１１に表示させる。
【００７８】
確定ボタンＢ３は、選択画面画像における各種の指定（例えばモード指定領域Ｒ４における処理モードの指定）を確定するためのボタンである。確定ボタンＢ３を選択するための操作が操作表示部１１に与えられると、制御部１４は、選択画面画像における各種の指定に応じた処理が行われるように、紙幣処理装置１０の動作を制御する。
【００７９】
また、この例では、モード指定領域Ｒ４において「正損混合処理」が指定された状態で確定ボタンＢ３を選択するための操作が操作表示部１１に与えられると、制御部１４は、不揃い通知情報を操作表示部１１に出力する。これにより、操作表示部１１には、図５に示した不揃い通知画像Ｐ１０が表示される。図５の例では、不揃い通知画像Ｐ１０には、紙幣の向きが揃えられていないことを示す文章が含まれる。また、不揃い通知画像Ｐ１０には、正損混合処理の実施を承認するための承認ボタンと、正損混合処理の実施を取り止めるための取止めボタンとが設けられている。
【００８０】
〔実施形態１の効果〕
以上のように、第１搬送制御を行うことにより、紙幣の正損および向きの識別結果に応じて紙幣の向きを一定の向きに揃えることができる。また、第２搬送制御を行うことにより、損券に該当すると識別されるべき紙幣が反転部（この例では第２反転部１３２）に搬送されて反転部において紙詰まりが発生するという事態を回避することができる。
【００８１】
また、第１搬送制御において、正券に該当すると識別された紙幣が紙幣の向きの識別結果に応じて反転部（この例では第２反転部１３２）に搬送されることにより、正券に該当すると識別された紙幣の向きを一定の向きに揃えることができる。また、第１搬送制御において、損券に該当すると識別された紙幣が紙幣の向きの識別結果に拘わらず反転部（この例では第２反転部１３２）を迂回することにより、損券に該当すると識別された紙幣が反転部に搬送されて反転部において紙詰まりが発生するという事態を回避することができる。
【００８２】
また、第２搬送制御が行われる場合に不揃い通知情報（紙幣の向きが揃えられていないことを通知するための情報）を制御部１４が出力することにより、紙幣の向きが揃えられていないことを通知することができる。
【００８３】
また、正損混合処理を行うことにより、正券に該当する紙幣と損券に該当する紙幣とが混合された状態で所定枚数の紙幣を帯封することができる。
【００８４】
また、正損混合処理が行われる場合に不揃い情報（紙幣の向きが揃えられていないことを示す情報）を記録部１０８が帯封紙に記録することにより、帯封紙により帯封された所定枚数の紙幣（すなわち帯封紙幣）の状態の管理を容易にすることができる。
【００８５】
また、正券分類処理を行うことにより、正券に該当する紙幣のみが含まれる状態で所定枚数の紙幣を帯封することができる。
【００８６】
また、この例では、正損混合処理において、正券に該当すると識別された紙幣および損券に該当すると識別された紙幣のうち帯封されるべき紙幣は、紙幣の向きの識別結果に応じて第１反転部１３１に搬送される。これにより、正損混合処理において紙幣の表裏の向きを一定の向きに揃えることができる。
【００８７】
（実施形態１の変形例）
以上の実施形態１の説明では、正損混合処理において第２搬送制御が行われる場合に、識別部１２０において正券に該当すると識別された紙幣および損券に該当すると識別された紙幣のうち帯封されるべき紙幣が識別部１２０における紙幣の向きの識別結果に応じて第１反転部１３１に搬送される場合を例に挙げたが、これに限定されない。例えば、正損混合処理において第２搬送制御が行われる場合に、識別部１２０において正券に該当すると識別された紙幣および損券に該当すると識別された紙幣のうち帯封されるべき紙幣は、識別部１２０における紙幣の正損および向きの識別結果に拘わらず第１反転部１３１を迂回してもよい。すなわち、正損混合処理において第２搬送制御が行われる場合に識別部１２０における紙幣の正損および向きの識別結果に拘わらず紙幣に迂回される反転部は、第２反転部１３２であってもよいし、第１反転部１３１であってもよいし、第１反転部１３１と第２反転部１３２の両方であってもよい。
【００８８】
また、以上の実施形態１の説明では、第２反転部１３２が第１搬送部１１０ａにおいて第１反転部１３１よりも下流に配置される場合を例に挙げたが、第２反転部１３２は、第１搬送部１１０ａにおいて第１反転部１３１よりも上流に配置されてもよい。
【００８９】
（実施形態２）
図６は、実施形態２による紙幣処理装置２０の外観を例示する。紙幣処理装置２０は、バラ状態の紙幣を処理する紙幣処理部３０と、帯封紙幣を処理する帯封紙幣処理部４０とを備える。
【００９０】
〔紙幣処理部〕
図７に示すように、紙幣処理部３０は、筐体３００と、入金部３０１と、入金リジェクト部３０２と、複数（この例では４つ）の一時保留部３０３と、一括一時保留部３０４と、複数（この例では４つ）の収納部３０５と、一括収納部３０６と、出金部３０７と、出金リジェクト部３０８と、複数（この例では２つ）の整理一時保留部３０９と、紙幣搬送部３１０と、識別部３２０と、第１反転部３３１と、第２反転部３３２とを備える。
【００９１】
〈筐体〉
筐体３００は、直方体型の箱状に形成される。筐体３００には、紙幣処理部３０の上述の構成部品が収納される。
【００９２】
〈入金部〉
入金部３０１には、紙幣が投入される。入金部３０１は、投入された紙幣を集積する。この例では、入金部３０１は、筐体３００の前面部の上部に設けられる。入金部３０１には、筐体３００の前方に開口する入金口３０１ａが設けられ、入金口３０１ａには、シャッタが設けられる。また、入金部３０１には、入金部３０１に集積された紙幣を１枚ずつ紙幣搬送部３１０に繰り出す繰出機構３０１ｂが設けられる。
【００９３】
〈入金リジェクト部〉
入金リジェクト部３０２は、リジェクト対象に該当する紙幣を集積する。例えば、入金リジェクト部３０２は、後述する第１識別部３２１においてリジェクト対象に該当すると識別された紙幣を集積する。
【００９４】
〈一時保留部〉
複数の一時保留部３０３は、複数の収納部３０５にそれぞれ対応する。複数の一時保留部３０３の各々は、紙幣を一時的に保留する。また、複数の一時保留部３０３は、一時的に保留している紙幣を複数の収納部３０５にそれぞれ送る。
【００９５】
〈一括一時保留部〉
一括一時保留部３０４は、一括収納部３０６に対応する。一括一時保留部３０４は、紙幣を一時的に保留する。また、一括一時保留部３０４は、一時的に保留している紙幣を一括収納部３０６に送る。
【００９６】
〈収納部〉
複数の収納部３０５の各々は、紙幣を収納する。具体的には、複数の収納部３０５の各々は、正券に該当する紙幣を収納する。この例では、複数の収納部３０５は、複数の一時保留部３０３から送られた紙幣をそれぞれ収納する。例えば、複数の収納部３０５には、それぞれ異なる金種が割り当てられ、複数の収納部３０５の各々は、その収納部３０５に割り当てられた金種の紙幣を収納する。また、複数の収納部３０５の各々は、収納している紙幣を紙幣搬送部３１０（具体的には後述する第２紙幣搬送部３１０ｂ）に繰り出す。
【００９７】
〈一括収納部〉
一括収納部３０６は、紙幣を収納する。具体的には、一括収納部３０６は、正券に該当する紙幣と損券に該当する紙幣の両方を収納可能である。この例では、一括収納部３０６は、一括一時保留部３０４から送られた紙幣を収納する。また、一括収納部３０６は、収納している紙幣を紙幣搬送部３１０（具体的には後述する第２紙幣搬送部３１０ｂ）に繰り出す。
【００９８】
〈出金部〉
出金部３０７は、払い出されるべき紙幣を集積する。この例では、出金部３０７は、筐体３００の上部に設けられる。出金部３０７には、筐体３００の上方に開口する出金口３０７ａが設けられ、出金口３０７ａには、シャッタが設けられる。
【００９９】
〈出金リジェクト部〉
出金リジェクト部３０８は、リジェクト対象に該当する紙幣を集積する。例えば、出金リジェクト部３０８は、後述する第２識別部３２２においてリジェクト対象に該当すると識別された紙幣を集積する。
【０１００】
〈整理一時保留部〉
複数の整理一時保留部３０９の各々は、紙幣を集積する。整理一時保留部３０９に集積された所定枚数（例えば１００枚）の紙幣は、後述するアーム機構４０１により後述する帯封部４０２に搬送される。
【０１０１】
〈紙幣搬送部〉
紙幣搬送部３１０は、紙幣処理部３０内において紙幣を搬送する。この例では、紙幣搬送部３１０は、第１紙幣搬送部３１０ａと、第２紙幣搬送部３１０ｂと、第３紙幣搬送部３１０ｃを有する。第１紙幣搬送部３１０ａは、入金部３０１と入金リジェクト部３０２と複数の一時保留部３０３と一括一時保留部３０４との間において紙幣を搬送する。第２紙幣搬送部３１０ｂは、複数の収納部３０５と一括収納部３０６と出金部３０７と出金リジェクト部３０８と複数の整理一時保留部３０９との間において紙幣を搬送する。第３紙幣搬送部３１０ｃは、第１紙幣搬送部３１０ａと第２紙幣搬送部３１０ｂとの間において紙幣を搬送する。
【０１０２】
〈識別部〉
識別部３２０は、第１識別部３２１と、第２識別部３２２とを有する。
【０１０３】
第１識別部３２１は、第１識別処理を行う。第１識別処理には、紙幣の正損の識別が含まれる。この例では、第１識別処理には、紙幣の正損の識別と、紙幣の向きの識別とが含まれる。第１識別部３２１は、第１紙幣搬送部３１０ａに設けられ、入金部３０１よりも下流であり且つ入金リジェクト部３０２と複数の一時保留部３０３と一括一時保留部３０４よりも上流である位置に配置される。そして、第１識別部３２１は、第１紙幣搬送部３１０ａにより搬送される紙幣に対して第１識別処理を行う。第１識別処理では、第１識別部３２１は、紙幣の金種、正損、真偽、新旧、向き、搬送状態、紙幣に付された記番号などを識別する。第１識別部３２１における紙幣の識別結果は、後述する制御部２４に送信される。また、この例では、第１識別部３２１は、計数処理を行う。計数処理では、第１識別部３２１は、紙幣の種別毎（例えば金種毎）に紙幣を計数する。第１識別部３２１における紙幣の計数結果は、後述する制御部２４に送信される。
【０１０４】
第２識別部３２２は、第２識別処理を行う。第２識別処理には、紙幣の向きの識別が含まれる。この例では、第２識別部３２２は、第２紙幣搬送部３１０ｂに設けられ、複数の収納部３０５と一括収納部３０６よりも下流であり且つ出金部３０７と出金リジェクト部３０８と複数の整理一時保留部３０９よりも上流である位置に配置される。そして、第２識別部３２２は、第２紙幣搬送部３１０ｂにより搬送される紙幣に対して第２識別処理を行う。第２識別処理では、第２識別部３２２は、紙幣の金種、正損、真偽、新旧、向き、搬送状態、紙幣に付された記番号などを識別する。第２識別部３２２における紙幣の識別結果は、後述する制御部２４に送信される。なお、第２識別部３２２による第２識別処理において紙幣の正損の識別が省略されてもよい。すなわち、第２識別部３２２は、第１識別部３２１よりも簡素な構成であってもよい。また、この例では、第２識別部３２２は、計数処理を行う。計数処理では、第２識別部３２２は、紙幣の種別毎（例えば金種毎）に紙幣を計数する。第２識別部３２２における紙幣の計数結果は、後述する制御部２４に送信される。
【０１０５】
〈第１反転部〉
第１反転部３３１は、紙幣の表裏を反転させる。この例では、第１反転部３３１は、第１紙幣搬送部３１０ａに設けられ、第１識別部３２１よりも下流であり且つ複数の一時保留部３０３と一括一時保留部３０４よりも上流である位置に配置される。なお、紙幣搬送部３１０（具体的には第１紙幣搬送部３１０ａ）は、紙幣が第１反転部３３１に搬送されて紙幣の表裏が反転される状態と、紙幣が第１反転部３３１を迂回する状態とに切り換え可能である。この例では、第１紙幣搬送部３１０ａは、第１反転部３３１が設けられる第１反転路Ｐ１と、第１反転路Ｐ１を迂回する第１迂回路Ｐ２とを有する。
【０１０６】
また、この例では、第１反転部３３１は、スイッチバック式の反転部である。具体的には、第１反転部３３１は、第１紙幣搬送部３１０ａにより搬送される紙幣の搬送幅方向（搬送方向と直交する方向）の向きが変わらないように紙幣の表裏を反転させる。
【０１０７】
〈第２反転部（反転部）〉
第２反転部３３２は、紙幣の表裏を反転させる。この例では、第２反転部３３２は、第２紙幣搬送部３１０ｂに設けられ、第２識別部３２２よりも下流であり且つ出金部３０７と出金リジェクト部３０８と複数の整理一時保留部３０９よりも上流である位置に配置される。そして、第２反転部３３２は、紙幣に対してひねる力を加えることで紙幣の表裏を反転させる。なお、紙幣搬送部３１０（具体的には第２紙幣搬送部３１０ｂ）は、紙幣が第２反転部３３２に搬送されて紙幣の表裏が反転される状態と、紙幣が第２反転部３３２を迂回する状態とに切り換え可能である。この例では、第２紙幣搬送部３１０ｂは、第２反転部１３２が設けられる第２反転路Ｐ３と、第２反転路Ｐ３を迂回する第２迂回路Ｐ４とを有する。
【０１０８】
また、この例では、第２反転部３３２は、スパイラル式の反転部である。具体的には、第２反転部３３２は、第２紙幣搬送部３１０ｂにより搬送される紙幣の搬送幅方向の向きが変わるように紙幣の表裏を反転させる。
【０１０９】
〔帯封紙幣処理部〕
図８に示すように、帯封紙幣処理部４０は、筐体４００と、アーム機構４０１と、帯封部４０２と、記録部４０３と、帯封紙幣入出金部４０４と、帯封紙幣投出部４０５と、複数（この例では５つ）の帯封紙幣収納部４０６と、帯封紙幣搬送部４１０とを備える。
【０１１０】
〈筐体〉
筐体４００は、直方体型の箱状に形成される。筐体４００には、帯封紙幣処理部４０の上述の構成部品が収納される。
【０１１１】
〈アーム機構〉
アーム機構４０１は、紙幣処理部３０の整理一時保留部３０９に集積された所定枚数の紙幣を取り出して帯封部４０２に搬送する。
【０１１２】
〈帯封部〉
帯封部４０２は、所定枚数の紙幣を帯封紙により帯封する。これにより、帯封紙幣が生成される。帯封部４０２の構成は、図１に示した帯封部１０７の構成と同様である。
【０１１３】
〈記録部〉
記録部４０３は、帯封紙に情報を記録する。なお、記録部４０３の構成は、図１に示した記録部１０８の構成と同様である。
【０１１４】
〈帯封紙幣入出金部〉
帯封紙幣入出金部４０４には、帯封紙幣が投入される。また、帯封紙幣入出金部４０４は、帯封紙幣を払い出す。この例では、帯封紙幣入出金部４０４は、筐体４００の前面部の上部に設けられる。帯封紙幣入出金部４０４には、筐体４００の前方に開口する入出金口４０４ａが設けられ、入出金口４０４ａには、シャッタが設けられる。
【０１１５】
〈帯封紙幣投出部〉
帯封紙幣投出部４０５は、帯封紙幣を投出する。この例では、帯封紙幣投出部４０５は、筐体４００の前面部の下部に設けられる。帯封紙幣投出部４０５には、筐体４００の前方に開口する投出口４０５ａが設けられる。
【０１１６】
〈帯封紙幣収納部〉
複数の帯封紙幣収納部４０６の各々は、帯封紙幣を収納する。また、複数の帯封紙幣収納部４０６の各々は、収納している帯封紙幣を帯封紙幣搬送部４１０に送る。例えば、複数の帯封紙幣収納部４０６には、それぞれ収納されるべき帯封紙幣の金種が割り当てられ、複数の帯封紙幣収納部４０６の各々は、その帯封紙幣収納部４０６に割り当てられた金種の帯封紙幣を収納する。
【０１１７】
〈帯封紙幣搬送部〉
帯封紙幣搬送部４１０は、帯封紙幣処理部４０内において帯封紙幣を搬送する。この例では、帯封紙幣搬送部４１０は、第１帯封紙幣搬送部４１０ａと、第２帯封紙幣搬送部４１０ｂと、昇降機構４１０ｃを有する。第１帯封紙幣搬送部４１０ａは、帯封部４０２と昇降機構４１０ｃとの間において帯封紙幣を搬送する。第２帯封紙幣搬送部４１０ｂは、複数の帯封紙幣収納部４０６と昇降機構４１０ｃとの間において帯封紙幣を搬送する。昇降機構４１０ｃは、第１帯封紙幣搬送部４１０ａと第２帯封紙幣搬送部４１０ｂと帯封紙幣入出金部４０４と帯封紙幣投出部４０５との間において帯封紙幣を搬送する。
【０１１８】
〔搬送部〕
実施形態２では、紙幣処理部３０の紙幣搬送部３１０と帯封紙幣処理部４０のアーム機構４０１および帯封紙幣搬送部４１０とが搬送部２００を構成する。搬送部２００は、紙幣処理装置２０内において紙幣を搬送する。
【０１１９】
〔操作表示部と通信部と記憶部〕
図９に示すように、紙幣処理装置２０は、操作表示部２１と、通信部２２と、記憶部２３とを備える。操作表示部２１は、操作部２１ａと表示部２１ｂとを有する。操作表示部２１の構成は、図１に示した操作表示部１１の構成と同様である。通信部２２の構成は、図１に示した通信部１２の構成と同様である。記憶部２３の構成は、図１に示した記憶部１３の構成と同様である。
【０１２０】
〔各種センサ〕
また、紙幣処理部３０の各部には、紙幣の通過を検出する通過センサなどの各種センサ（図示を省略）が設けられる。これと同様に、帯封紙幣処理部４０の各部には、帯封紙幣の通過を検出する通過センサなどの各種センサ（図示を省略）が設けられる。これらの各種センサの検出結果は、後述する制御部２４に送信される。
【０１２１】
〔制御部〕
図９に示すように、紙幣処理装置２０は、制御部２４を備える。制御部２４は、紙幣処理装置２０の各部と電気的に接続され、紙幣処理装置２０の各部の間において信号の伝送を行う。この例では、制御部２４は、紙幣処理部３０の構成部品、帯封紙幣処理部４０の構成部品、操作表示部２１、通信部２２、記憶部２３と電気的に接続される。また、制御部２４は、通信部２２を経由して外部機器と通信を行う。そして、制御部２４は、紙幣処理装置２０の各部（各部に設けられた各種センサを含む）および外部機器からの信号などに基づいて、紙幣処理装置２０の各部を制御して紙幣処理装置２０の動作を制御する。例えば、制御部２４は、プロセッサと、プロセッサを動作させるためのプログラムや情報を記憶するメモリとにより構成される。
【０１２２】
〔第１搬送制御〕
また、制御部２４は、第１搬送制御を行う。第１搬送制御では、制御部２４は、識別部３２０において識別された紙幣が識別部３２０における紙幣の正損および向きの識別結果に応じて第２反転部３３２（反転部の一例）に搬送されるように、紙幣処理装置２０の動作を制御する。具体的には、第１搬送制御では、第１識別部３２１（識別部３２０）において正券に該当すると識別された紙幣は、第２識別部３２２（識別部３２０）における紙幣の向きの識別結果に応じて第２反転部３３２に搬送される。例えば、第２反転部３３２において紙幣の表裏を反転する必要がある場合には、紙幣が第２反転部３３２に搬送され、第２反転部３３２において紙幣の表裏を反転する必要がない場合には、紙幣が第２反転部３３２を迂回する。また、第１識別部３２１において損券に該当すると識別された紙幣は、第２識別部３２２における紙幣の向きの識別結果に拘わらず第２反転部３３２を迂回する。
【０１２３】
〔第２搬送制御〕
また、制御部２４は、第２搬送制御を行う。第２搬送制御では、制御部２４は、識別部３２０において識別された紙幣が識別部３２０における紙幣の正損および向きの識別結果に拘わらず第２反転部３３２（反転部の一例）を迂回するように、紙幣処理装置２０の動作を制御する。具体的には、第２搬送制御では、制御部２４は、第１識別部３２１および第２識別部３２２において識別された紙幣が第１識別部３２１における紙幣の正損の識別結果と第２識別部３２２における紙幣の向きの識別結果とに拘わらず第２反転部３３２を迂回するように、紙幣処理装置２０の動作を制御する。
【０１２４】
また、実施形態１と同様に、制御部２４は、第２搬送制御が行われる場合に、紙幣の向きが揃えられていないことを通知するための情報である不揃い通知情報を出力する。
【０１２５】
〔紙幣処理装置の動作〕
次に、実施形態２による紙幣処理装置２０の動作について説明する。紙幣処理装置２０では、入金処理と、正損混合帯封処理と、正券分類帯封処理と、正損混合出金処理と、正券分類出金処理とが行われる。
【０１２６】
〔入金処理〕
入金処理は、紙幣を入金する処理のことである。入金処理において、制御部２４は、入金部３０１に投入された紙幣が第１識別部３２１に搬送され、第１識別部３２１において識別された紙幣が第１識別部３２１における紙幣の正損の識別結果に応じて収納部３０５または一括収納部３０６に搬送されるように、紙幣処理装置１０の動作を制御する。具体的には、第１搬送制御では、第１識別部３２１において正券に該当すると識別された紙幣は、収納部３０５に搬送される。第１識別部３２１において損券に該当すると識別された紙幣は、一括収納部３０６に搬送される。
【０１２７】
なお、一括収納部３０６には、第１識別部３２１において正券に該当すると識別された紙幣も収納される。例えば、一括収納部３０６には、満杯状態の収納部３０５に搬送することができない正券（いわゆるオーバーフロー券）が収納される。すなわち、収納部３０５には、第１識別部３２１において正券に該当すると識別された紙幣が収納される。一括収納部３０６には、第１識別部３２１において正券に該当すると識別された紙幣および損券に該当すると識別された紙幣の両方が収納される。
【０１２８】
この例では、入金処理において、第１識別部３２１において識別された紙幣は、第１識別部における紙幣の向きの識別結果に応じて第１反転部３３１に搬送された後に、第１識別部３２１における紙幣の正損の識別結果に応じて収納部３０５または一括収納部３０６に搬送される。例えば、第１反転部３３１において紙幣の表裏を反転する必要がある場合には、紙幣が第１反転部３３１に搬送され、第１反転部３３１において紙幣の表裏を反転する必要がない場合には、紙幣が第１反転部３３１を迂回する。
【０１２９】
具体的には、入金処理では、入金部３０１に投入された紙幣は、第１紙幣搬送部３１０ａにより第１識別部３２１に搬送されて第１識別処理が行われる。第１識別部３２１において正券に該当すると識別された紙幣は、第１紙幣搬送部３１０ａにより一時保留部３０３に搬送されて一時保留部３０３に一時的に保留される。例えば、複数の一時保留部３０３には、一時的に保留すべき紙幣の金種がそれぞれ割り当てられる。そして、第１識別部３２１において正券に該当すると識別された紙幣は、その紙幣の金種と同一の金種が割り当てられた一時保留部３０３に搬送される。また、第１識別部３２１において損券に該当すると識別された紙幣は、第１紙幣搬送部３１０ａにより一括一時保留部３０４に搬送されて一括一時保留部３０４に一時的に保留される。なお、一括一時保留部３０４には、第１識別部３２１において正券に該当すると識別されたが一時保留部３０３に搬送することができない紙幣（例えばオーバーフロー券）も搬送される。そして、入金処理を承認するための操作が操作表示部２１に与えられると、一時保留部３０３に一時的に保留されている紙幣が収納部３０５に送られ、一括一時保留部３０４に一時的に保留されている紙幣が一括収納部３０６に送られる。これにより、第１識別部３２１において正券に該当すると識別された紙幣が収納部３０５に収納され、第１識別部３２１において正券または損券に該当すると識別された紙幣が一括収納部３０６に収納される。
【０１３０】
なお、入金処理では、識別部１２０においてリジェクト対象に該当すると識別された紙幣は、第１紙幣搬送部３１０ａにより入金リジェクト部３０２に搬送されて入金リジェクト部３０２に集積される。
【０１３１】
上記の入金処理では、収納部３０５に収納される紙幣の表裏の向きを変更することができるが、紙幣の搬送幅方向の向きは変更されない。これと同様に、一括収納部３０６に収納される紙幣の表裏の向きを変更することができるが、紙幣の搬送幅方向の向きは変更されない。
【０１３２】
〔正損混合帯封処理〕
正損混合帯封処理は、正券に該当する紙幣と損券に該当する紙幣とが混合された状態で所定枚数の紙幣を帯封することができる処理のことである。正損混合帯封処理において、制御部２４は、一括収納部３０６に収納された紙幣が第２識別部３２２に搬送され、第２識別部３２２において識別された紙幣のうち帯封されるべき紙幣が整理一時保留部３０９に搬送され、整理一時保留部３０９に集積された所定枚数の紙幣が帯封部４０２に搬送されるように、紙幣処理装置２０の動作を制御する。なお、一括収納部３０６に収納された紙幣は、第１識別部３２１において正券に該当すると識別された紙幣または第１識別部３２１において損券に該当すると識別された紙幣である。
【０１３３】
具体的には、正損混合帯封処理では、一括収納部３０６から繰り出された紙幣は、第２紙幣搬送部３１０ｂにより第２識別部３２２に搬送されて第２識別処理が行われる。第２識別部３２２において識別された紙幣のうち帯封されるべき紙幣は、第２紙幣搬送部３１０ｂにより整理一時保留部３０９に搬送されて整理一時保留部３０９に集積される。整理一時保留部３０９には、第１識別部３２１において正券に該当すると識別された紙幣と第１識別部３２１において損券に該当すると識別された紙幣とが混合された状態で、複数枚の紙幣が集積される。整理一時保留部３０９に所定枚数の紙幣が集積されると、整理一時保留部３０９に集積された所定枚数の紙幣は、アーム機構４０１により帯封部４０２に搬送されて帯封部４０２において帯封される。これにより、帯封紙幣が生成される。帯封部４０２において生成された帯封紙幣は、帯封紙幣搬送部４１０により帯封紙幣入出金部４０４と帯封紙幣投出部４０５と帯封紙幣収納部４０６のいずれかに搬送される。
【０１３４】
なお、正損混合帯封処理では、第２識別部３２２においてリジェクト対象に該当すると識別された紙幣は、第２紙幣搬送部３１０ｂにより出金リジェクト部３０８に搬送されて出金リジェクト部３０８に集積される。帯封紙幣の生成が完了すると、整理一時保留部３０９に残存する所定枚数未満の紙幣は、第２紙幣搬送部３１０ｂと第３紙幣搬送部３１０ｃと第１紙幣搬送部３１０ａにより一括一時保留部３０４に搬送され、一括一時保留部３０４から一括収納部３０６に送られる。
【０１３５】
〈正損混合帯封処理における搬送制御〉
また、正損混合帯封処理では、第１搬送制御と第２搬送制御の一方が行われる。以下では、正損混合帯封処理において第１搬送制御が行われる場合（すなわち第１搬送制御が行われる正損混合帯封処理）を「第１正損混合帯封処理」と記載し、正損混合帯封処理において第２搬送制御が行われる場合（すなわち第２搬送制御が行われる正損混合帯封処理）を「第２正損混合帯封処理」と記載する。
【０１３６】
〈第１正損混合帯封処理〉
第１正損混合帯封処理において、第２識別部３２２において識別された紙幣のうち帯封されるべき紙幣は、第１識別部３２１における紙幣の正損の識別結果および第２識別部３２２における紙幣の向きの識別結果に応じて第２反転部３３２（反転部の一例）に搬送された後に、整理一時保留部３０９に搬送される。
【０１３７】
具体的には、第１正損混合帯封処理では、第２識別部３２２において識別された紙幣のうち帯封されるべき紙幣であり且つ第１識別部３２１において正券であると識別された紙幣は、第２識別部３２２における紙幣の向きの識別結果に応じて第２反転部３３２に搬送された後に、整理一時保留部３０９に搬送される。一方、第２識別部３２２において識別された紙幣のうち帯封されるべき紙幣であり且つ第１識別部３２１において損券であると識別された紙幣は、第２識別部３２２における紙幣の向きの識別結果に拘わらず第２反転部３３２を迂回した後に、整理一時保留部３０９に搬送される。
【０１３８】
上記の第１正損混合帯封処理では、第２識別部３２２において識別された紙幣のうち帯封されるべき紙幣であり且つ第１識別部３２１において正券であると識別された紙幣は、紙幣の表裏の向きと紙幣の天地方向の向きがそれぞれ一定の向きに揃えられる。一方、第２識別部３２２において識別された紙幣のうち帯封されるべき紙幣であり且つ第１識別部３２１において損券であると識別された紙幣は、紙幣の表裏の向きが一定の向きに揃えられるが、紙幣の天地方向の向きが一定の向きに揃えられない。
【０１３９】
〈第２正損混合帯封処理〉
第２正損混合帯封処理において、第２識別部３２２において識別された紙幣のうち帯封されるべき紙幣は、第１識別部３２１における紙幣の正損の識別結果および第２識別部３２２における紙幣の向きの識別結果に拘わらず第２反転部３３２（反転部の一例）を迂回した後に、整理一時保留部３０９に搬送される。
【０１４０】
具体的には、第２正損混合帯封処理では、第２識別部３２２において識別された紙幣のうち帯封されるべき紙幣は、第１識別部３２１において正券に該当すると識別された場合であっても、第１識別部３２１において損券に該当すると識別された場合であっても、第２反転部３３２を迂回した後に、整理一時保留部３０９に搬送される。
【０１４１】
上記の第２正損混合帯封処理では、第２識別部３２２において識別された紙幣のうち帯封されるべき紙幣は、紙幣の表裏の向きが一定の向きに揃えられるが、紙幣の天地方向の向きが一定の向きに揃えられない。
【０１４２】
〈記録部の動作〉
また、記録部４０３は、正損混合帯封処理が行われる場合に、紙幣の向きが揃えられていないことを示す情報である不揃い情報を帯封紙に記録する。不揃い情報は、紙幣の向きが揃えられていないことを直接的に示す情報（例えば紙幣の向きが不揃いであることを示す文章や記号や図形など）であってもよいし、紙幣の向きが揃えられていないことを間接的に示す情報（例えば正損混合処理が行われたことを示す文章や記号や図形など）であってもよい。
【０１４３】
〔正券分類帯封処理〕
正券分類帯封処理は、正券に該当する紙幣のみが含まれる状態で所定枚数の紙幣を帯封する処理のことである。正券分類帯封処理において、制御部２４は、収納部３０５に収納された紙幣が第２識別部３２２に搬送され、第２識別部３２２において識別された紙幣のうち帯封されるべき紙幣が整理一時保留部３０９に搬送され、整理一時保留部３０９に集積された所定枚数の紙幣が帯封部４０２に搬送されるように、紙幣処理装置２０の動作を制御する。なお、収納部３０５に収納された紙幣は、第１識別部３２１において正券に該当すると識別された紙幣である。
【０１４４】
具体的には、正券分類帯封処理では、収納部３０５から繰り出された紙幣は、第２紙幣搬送部３１０ｂにより第２識別部３２２に搬送されて第２識別処理が行われる。第２識別部３２２において識別された紙幣のうち帯封されるべき紙幣は、第２紙幣搬送部３１０ｂにより整理一時保留部３０９に搬送されて整理一時保留部３０９に集積される。整理一時保留部３０９には、第１識別部３２１において正券に該当すると識別された紙幣のみが含まれる状態で、複数枚の紙幣が集積される。整理一時保留部３０９に所定枚数の紙幣が集積されると、整理一時保留部３０９に集積された所定枚数の紙幣は、アーム機構４０１により帯封部４０２に搬送されて帯封部４０２において帯封される。これにより、帯封紙幣が生成される。帯封部４０２において生成された帯封紙幣は、帯封紙幣搬送部４１０により帯封紙幣入出金部４０４と帯封紙幣投出部４０５と帯封紙幣収納部４０６のいずれかに搬送される。
【０１４５】
なお、正券分類帯封処理では、第２識別部３２２においてリジェクト対象に該当すると識別された紙幣は、第２紙幣搬送部３１０ｂにより出金リジェクト部３０８に搬送されて出金リジェクト部３０８に集積される。帯封紙幣の生成が完了すると、整理一時保留部３０９に残存する所定枚数未満の紙幣は、第２紙幣搬送部３１０ｂと第３紙幣搬送部３１０ｃと第１紙幣搬送部３１０ａにより一時保留部３０３に搬送され、一時保留部３０３から収納部３０５に送られる。
【０１４６】
〈正券分類帯封処理における搬送制御〉
また、正券分類帯封処理では、第１搬送制御が行われる。正券分類帯封処理では、第２識別部３２２において識別された紙幣のうち帯封されるべき紙幣は、第２識別部３２２における紙幣の向きの識別結果に応じて第２反転部３３２（反転部の一例）に搬送された後に、整理一時保留部３０９に搬送される。
【０１４７】
上記の正券分類帯封処理では、第２識別部３２２において識別された紙幣のうち帯封されるべき紙幣は、紙幣の表裏の向きと紙幣の天地方向の向きがそれぞれ一定の向きに揃えられる。
【０１４８】
〔正損混合出金処理〕
正損混合出金処理は、正券に該当する紙幣と損券に該当する紙幣とが混合された状態で複数枚の紙幣を出金する処理のことである。正損混合出金処理において、制御部２４は、一括収納部３０６に収納された紙幣が第２識別部３２２に搬送され、第２識別部３２２において識別された紙幣のうち出金されるべき紙幣が出金部３０７に搬送されるように、紙幣処理装置２０の動作を制御する。なお、一括収納部３０６に収納された紙幣は、第１識別部３２１において正券に該当すると識別された紙幣または第１識別部３２１において損券に該当すると識別された紙幣である。
【０１４９】
具体的には、正損混合出金処理では、一括収納部３０６から繰り出された紙幣は、第２紙幣搬送部３１０ｂにより第２識別部３２２に搬送されて第２識別処理が行われる。第２識別部３２２において識別された紙幣のうち出金されるべき紙幣は、第２紙幣搬送部３１０ｂにより出金部３０７に搬送されて出金部３０７に集積される。出金部３０７には、第１識別部３２１において正券に該当すると識別された紙幣と第１識別部３２１において損券に該当すると識別された紙幣とが混合された状態で、複数枚の紙幣が集積される。
【０１５０】
なお、正損混合出金処理では、第２識別部３２２においてリジェクト対象に該当すると識別された紙幣は、第２紙幣搬送部３１０ｂにより出金リジェクト部３０８に搬送されて出金リジェクト部３０８に集積される。
【０１５１】
〈正損混合出金処理における搬送制御〉
また、正損混合出金処理では、第１搬送制御と第２搬送制御の一方が行われる。以下では、正損混合出金処理において第１搬送制御が行われる場合（すなわち第１搬送制御が行われる正損混合出金処理）を「第１正損混合出金処理」と記載し、正損混合出金処理において第２搬送制御が行われる場合（すなわち第２搬送制御が行われる正損混合出金処理）を「第２正損混合出金処理」と記載する。
【０１５２】
〈第１正損混合出金処理〉
第１正損混合出金処理において、第２識別部３２２において識別された紙幣のうち出金されるべき紙幣は、第１識別部３２１における紙幣の正損の識別結果および第２識別部３２２における紙幣の向きの識別結果に応じて第２反転部３３２（反転部の一例）に搬送された後に、出金部３０７に搬送される。
【０１５３】
具体的には、第２識別部３２２において識別された紙幣のうち出金されるべき紙幣であり且つ第１識別部３２１において正券であると識別された紙幣は、第２識別部３２２における紙幣の向きの識別結果に応じて第２反転部３３２に搬送された後に、出金部３０７に搬送される。一方、第２識別部３２２において識別された紙幣のうち出金されるべき紙幣であり且つ第１識別部３２１において損券であると識別された紙幣は、第２識別部３２２における紙幣の向きの識別結果に拘わらず第２反転部３３２を迂回した後に、出金部３０７に搬送される。
【０１５４】
上記の第１正損混合出金処理では、第２識別部３２２において識別された紙幣のうち出金されるべき紙幣であり且つ第１識別部３２１において正券であると識別された紙幣は、紙幣の表裏の向きと紙幣の天地方向の向きがそれぞれ一定の向きに揃えられる。一方、第２識別部３２２において識別された紙幣のうち出金されるべき紙幣であり且つ第１識別部３２１において損券であると識別された紙幣は、紙幣の表裏の向きが一定の向きに揃えられるが、紙幣の天地方向の向きが一定の向きに揃えられない。
【０１５５】
〈第２正損混合出金処理〉
第２正損混合出金処理において、第２識別部３２２において識別された紙幣のうち出金されるべき紙幣は、第２識別部３２２における紙幣の向きの識別結果に拘わらず第２反転部３３２（反転部の一例）を迂回した後に、出金部３０７に搬送される。
【０１５６】
具体的には、第２識別部３２２において識別された紙幣のうち出金されるべき紙幣は、第１識別部３２１において正券に該当すると識別された場合であっても、第１識別部３２１において損券に該当すると識別された場合であっても、第２反転部３３２を迂回した後に、出金部３０７に搬送される。
【０１５７】
上記の第２正損混合出金処理では、第２識別部３２２において識別された紙幣のうち出金されるべき紙幣は、紙幣の表裏の向きが一定の向きに揃えられるが、紙幣の天地方向の向きが一定の向きに揃えられない。
【０１５８】
〔正券分類出金処理〕
正券分類出金処理は、正券に該当する紙幣のみが含まれる状態で複数枚の紙幣を出金する処理のことである。正券分類出金処理において、制御部２４は、収納部３０５に収納された紙幣が第２識別部３２２に搬送され、第２識別部３２２において識別された紙幣のうち出金されるべき紙幣が出金部３０７に搬送されるように、紙幣処理装置２０の動作を制御する。なお、収納部３０５に収納された紙幣は、第１識別部３２１において正券に該当すると識別された紙幣である。
【０１５９】
具体的には、正券分類出金処理において、収納部３０５から繰り出された紙幣は、第２紙幣搬送部３１０ｂにより第２識別部３２２に搬送されて第２識別処理が行われる。第２識別部３２２において識別された紙幣のうち出金されるべき紙幣は、第２紙幣搬送部３１０ｂにより出金部３０７に搬送されて出金部３０７に集積される。
【０１６０】
なお、正券分類出金処理では、第２識別部３２２においてリジェクト対象に該当すると識別された紙幣は、第２紙幣搬送部３１０ｂにより出金リジェクト部３０８に搬送されて出金リジェクト部３０８に集積される。
【０１６１】
〈正券分類出金処理における搬送制御〉
また、正券分類出金処理では、第１搬送制御が行われる。正券分類出金処理では、第２識別部３２２において識別された紙幣のうち出金されるべき紙幣は、第２識別部３２２における紙幣の向きの識別結果に応じて第２反転部３３２に搬送された後に、出金部３０７に搬送される。
【０１６２】
上記の正券分類出金処理では、第２識別部３２２において識別された紙幣のうち出金されるべき紙幣は、紙幣の表裏の向きと紙幣の天地方向の向きがそれぞれ一定の向きに揃えられる。
【０１６３】
〔実施形態２の効果〕
以上のように、第１搬送制御を行うことにより、紙幣の正損および向きの識別結果に応じて紙幣の向きを一定の向きに揃えることができる。また、第２搬送制御を行うことにより、損券に該当すると識別されるべき紙幣が反転部（この例では第２反転部３３２）に搬送されて反転部において紙詰まりが発生するという事態を回避することができる。
【０１６４】
また、第１搬送制御において、正券に該当すると識別された紙幣が紙幣の向きの識別結果に応じて反転部（この例では第２反転部３３２）に搬送されることにより、正券に該当すると識別された紙幣の向きを一定の向きに揃えることができる。また、第１搬送制御において、損券に該当すると識別された紙幣が紙幣の向きの識別結果に拘わらず反転部（この例では第２反転部３３２）を迂回することにより、損券に該当すると識別された紙幣が反転部に搬送されて反転部において紙詰まりが発生するという事態を回避することができる。
【０１６５】
また、第２搬送制御が行われる場合に不揃い通知情報（紙幣の向きが揃えられていないことを通知するための情報）を制御部２４が出力することにより、紙幣の向きが揃えられていないことを通知することができる。
【０１６６】
また、正損混合帯封処理を行うことにより、正券に該当する紙幣と損券に該当する紙幣とが混合された状態で所定枚数の紙幣を帯封することができる。
【０１６７】
また、正損混合帯封処理が行われる場合に不揃い情報（紙幣の向きが揃えられていないことを示す情報）を記録部４０３が帯封紙に記録することにより、帯封紙により帯封された所定枚数の紙幣（すなわち帯封紙幣）の状態の管理を容易にすることができる。
【０１６８】
また、正券分類帯封処理を行うことにより、正券に該当する紙幣のみが含まれる状態で所定枚数の紙幣を帯封することができる。
【０１６９】
また、この例では、入金処理において、第１識別部３２１において識別された紙幣は、紙幣の向きの識別結果に応じて第１反転部３３１に搬送される。これにより、入金処理において紙幣の表裏の向きを変更することができる。
【０１７０】
（実施形態２の変形例１）
なお、以上の実施形態２の説明では、入金処理において、第１識別部３２１において識別された紙幣が第１識別部３２１における紙幣の向きの識別結果に応じて第１反転部３３１に搬送される場合を例に挙げたが、これに限定されない。例えば、第１識別部３２１において識別された紙幣は、第１識別部３２１における紙幣の正損および向きの識別結果に拘わらず第１反転部３３１を迂回してもよい。
【０１７１】
（実施形態２の変形例２）
また、実施形態２による紙幣処理装置２０において、循環処理が行われてもよい。循環処理は、収納部３０５および一括収納部３０６に収納されている紙幣の向きを揃える処理のことである。循環処理において、制御部２４は、収納部３０５または一括収納部３０６に収納された紙幣が第２識別部３２２に搬送され、第２識別部３２２における紙幣の向きの識別結果に応じて第２反転部３３２および第１反転部３３１の一方または両方に搬送された後に、収納部３０５または一括収納部３０６に戻るように、紙幣処理装置２０の動作を制御する。
【０１７２】
具体的には、循環処理では、収納部３０５（または一括収納部３０６）から繰り出された紙幣は、第２紙幣搬送部３１０ｂにより第２識別部３２２に搬送されて第２識別処理が行われる。第２識別部３２２において識別された紙幣は、第２識別部３２２における紙幣の向きの識別結果に応じて第２反転部３３２および第１反転部３３１の一方または両方に搬送された後に、収納部３０５または一括収納部３０６に戻る。これにより、収納部３０５（または一括収納部３０６）に収納されている紙幣の向きが揃えられる。
【０１７３】
なお、循環処理は、予め定められたタイミングで開始されてもよい。例えば、循環処理は、タイマ設定により定められたタイミングで開始されてもよいし、紙幣処理装置２０の操作者（例えば係員）による操作に応答して開始されてもよいし、精査処理が行われるタイミングで開始されてもよい。
【０１７４】
また、循環処理に関する設定は、複数の収納部３０５および一括収納部３０６の各々に対して個別に行われてもよい。例えば、循環処理が行われるタイミングは、複数の収納部３０５および一括収納部３０６の各々に対して個別に設定されてもよい。
【０１７５】
循環処理は、紙幣処理装置２０が設置された店舗が比較的に閑散な時間帯に行われることが好ましい。比較的に閑散な時間帯の例としては、店舗の営業開始前の時間帯や、店舗への来客が比較的に少ない時間帯などが挙げられる。
【０１７６】
制御部２４は、紙幣処理装置２０において循環処理が行われている場合に、循環処理が行われていることを通知するための情報を出力してもよい。例えば、制御部２４は、循環処理が行われていることを通知するための情報を操作表示部２１に出力することで、循環処理が行われていることを通知するための画像を操作表示部２１に表示させてもよい。
【０１７７】
また、制御部２４は、紙幣処理装置２０の循環処理の実行中に、入金処理や出金処理などの紙幣処理装置２０の他の処理を開始するための指示を受けた場合に、循環処理が終了して他の処理が開始されるように、紙幣処理装置２０の動作を制御してもよい。例えば、循環処理の実行中に他の処理を開始するため操作が操作表示部２１に与えられると、収納部３０５（または一括収納部３０６）からの紙幣の繰り出しが停止され、繰り出し済みの紙幣が収納部３０５（または一括収納部３０６）に戻される。これにより、紙幣処理装置２０において循環処理が終了する。その後、紙幣処理装置２０において他の処理が開始される。
【０１７８】
以上のように、事前に循環処理を行うことにより、出金処理において紙幣に第２反転部３３２を迂回させることができるので、出金処理に要する時間を短縮することができる。また、出金処理において第２反転部３３２に紙詰まりが発生するという事態を回避することができる。
【０１７９】
また、紙幣処理装置２０が設置された店舗が比較的に閑散な期間に循環処理を行うことができるので、循環処理において第２反転部３３２に紙詰まりが発生したとしても、第２反転部３３２の紙詰まりを解消するために要する時間を十分に確保することができる。
【０１８０】
（その他の実施形態）
なお、識別部１２０（または識別部３２０）における紙幣の正損の識別のために用いられる正損判別レベルは、固定値であってもよいし、可変値であってもよい。また、正損判別レベルは、ゼロに設定されてもよい。この場合、識別部１２０（または識別部３２０）において全ての紙幣が正券に該当すると識別されることになる。
【０１８１】
以上の実施形態および変形例を適宜組み合わせて実施してもよい。以上の実施形態および変形例は、本質的に好ましい例示であって、ここに開示する技術、その適用物、あるいはその用途の範囲を制限することを意図するものではない。
【産業上の利用可能性】
【０１８２】
以上説明したように、ここに開示する技術は、紙幣処理装置として有用である。
【符号の説明】
【０１８３】
１０          紙幣処理装置
１１          操作表示部
１２          通信部
１３          記憶部
１４          制御部
１００        筐体
１０１        投入部
１０２        リジェクト部
１０３        内部集積部（集積部）
１０４        外部集積部
１０５        第１投出部
１０６        第２投出部
１０７        帯封部
１０８        記録部
１１０        搬送部
１２０        識別部
１３１        第１反転部
１３２        第２反転部（反転部）
２０          紙幣処理装置
２１          操作表示部
２２          通信部
２３          記憶部
２４          制御部
２００        搬送部
３０          紙幣処理部
３００        筐体
３０１        入金部
３０２        入金リジェクト部
３０３        一時保留部
３０４        一括一時保留部
３０５        収納部
３０６        一括収納部
３０７        出金部
３０８        出金リジェクト部
３０９        整理一時保留部
３１０        紙幣搬送部
３２０        識別部
３２１        第１識別部
３２２        第２識別部
３３１        第１反転部
３３２        第２反転部（反転部）
４０          帯封紙幣処理部
４００        筐体
４０１        アーム機構
４０２        帯封部
４０３        記録部
４０４        帯封紙幣入出金部
４０５        帯封紙幣投出部
４１０        帯封紙幣搬送部
【図１】
2020187467.tif 000003
【図２】
2020187467.tif 000004
【図３】
2020187467.tif 000005
【図４】
2020187467.tif 000006
【図５】
2020187467.tif 000007
【図６】
2020187467.tif 000008
【図７】
2020187467.tif 000009
【図８】
2020187467.tif 000010
【図９】
2020187467.tif 000011